(57)【要約】    【課題】  所望の温度−電流特性を得ることができるインターナルタイプのサーマルプロテクタを提供する。    【解決手段】  サーマルプロテクタ１０の固定接点板２０が端子２０Ｔ側の端子部２０Ｂと固定接点１６側の接点部２０Ａとに分割され、分割された端子部２０Ｂと接点部２０Ａとが細線部２２により接続される。細く電気抵抗の高い細線部２２がヒータを構成し得るため、インターナルタイプのサーマルプロテクタで所望の温度−電流特性を得ることができる。【選択図】  図１
0003204919.tif 000002
【実用新案登録請求の範囲】
【請求項１】
端子と固定接点を備える金属製板状の固定接点板と、前記固定接点に接するバイメタルを備える金属製の筐体と、前記固定接点板と前記筐体との間に配置され両者を絶縁する絶縁紙とからなるサーマルプロテクタであって、
前記固定接点板が前記端子側と前記固定接点側とに分割され、分割された前記端子側と前記固定接点側とが細線部により接続される。
【請求項２】
請求項１のサーマルプロテクタであって、
前記細線部は、前記固定接点板から形成される。
【請求項３】
請求項１又は請求項２のサーマルプロテクタであって、
前記細線部は、複数の屈曲部を有する。
【請求項４】
請求項１又は請求項２のサーマルプロテクタであって、
前記細線部は、複数のＵ時状の屈曲部を有する。
【請求項５】
請求項１又は請求項２のサーマルプロテクタであって、
前記細線部は、偶数のＵ時状の屈曲部を有する。
【請求項６】
請求項２のサーマルプロテクタであって、
前記固定接点板は鉄板にニッケルめっきが施されて成る。
【請求項７】
請求項２のサーマルプロテクタであって、
前記固定接点板は高抵抗の材質から成る。
【請求項８】
請求項２のサーマルプロテクタであって、
前記細線部は、前記固定接点板がプレス裁断され形成される。
【請求項９】
請求項１のサーマルプロテクタであって、
前記細線部は、前記固定接点板の前記端子側と前記固定接点側よりも前記バイメタルに近づくように配置されている。
【請求項１０】
請求項９のサーマルプロテクタであって、
前記細線部は、前記固定接点板の前記端子側と前記固定接点側から前記バイメタルに近づくようにクランク状に曲げられている。
【請求項１１】
請求項１のサーマルプロテクタであって、
前記筐体は、前記固定接点板側の端子と対を成す端子に接続されている。
【考案の詳細な説明】
【技術分野】
【０００１】
本考案は、電動機の過負荷保護装置として用いられるサーマルプロテクタに関する。
【背景技術】
【０００２】
電動機の過負荷保護装置としては電動機に内蔵されるサーマルプロテクタがある。サーマルプロテクタには、電動機の巻線の外に取り付けられるエクスターナルタイプと巻線に取り付けられるインターナルタイプとがある。
【０００３】
図１（Ｃ）はインターナルタイプのサーマルプロテクタの断面図であり、図１（Ｄ）は底面図である。図１（Ｃ）は図１（Ｄ）のＸ３−Ｘ３断面に相当する。サーマルプロテクタは、固定接点１６に接続された端子２０Ｔと、予め反転動作温度が設定されたバイメタル１４と、バイメタルに溶接された可動接点１２と、可動接点側に接続された端子３０Ｔとを備える。電気的には端子２０Ｔから固定接点１６、可動接点１２、バイメタル１４を通じて端子３０Ｔへと接続されている。基本動作としては、端子３０Ｔ、２０Ｔ間に電流を流した時、抵抗体であるバイメタル１４はＩ（電流）×Ｒ（抵抗）に応じたジュール熱が発生する。バイメタル１４は予め反転動作する温度が設定されており、電流の増加より温度が上昇して設定温度に達すると、バイメタル１４は反転動作を行い、固定接点１６と可動接点１２とが離れることで通電が断たれる。
【０００４】
サーマルプロテクタは一定以上の電流に対して接点をオフすることで、電動機等の異常な過電流から機器を保護する。また、サーマルプロテクタは周囲温度でも動作するため、電動機が無負荷状態になって電流は小さくなるが、巻線温度だけが上昇する場合でも検知、動作して機器を保護する。
【先行技術文献】
【特許文献】
【０００５】
【特許文献１】特開平８−３１２５３２号公報
【考案の概要】
【考案が解決しようとする課題】
【０００６】
サーマルプロテクタは温度と電流の２要素を検知して電動機等を保護する部品であるが、その検知を１個のバイメタルで行うため、温度−電流特性については設定し得る限界がある。このため、巻線の外に取り付けられるエクスターナルタイプは大きさの制限が無いため、ヒータを内蔵することでバイメタル自体の発熱だけでなく、ヒータからの発熱を加えることで所望の温度−電流特性を得ている。しかしながら、巻線に取り付けられるインターナルタイプのサーマルプロテクタは小型であり、ヒータを取り付けるスペースが無く、所望の温度−電流特性を得ることが難しかった。
【０００７】
本考案の目的は、所望の温度−電流特性を得ることができるインターナルタイプのサーマルプロテクタを提供することである。
【課題を解決するための手段】
【０００８】
本考案に係るサーマルプロテクタは、端子と固定接点を備える金属製板状の固定接点板と、前記固定接点に接するバイメタルを備える金属製の筐体と、前記固定接点板と前記筐体との間に配置され両者を絶縁する絶縁紙とからなる。そして、前記固定接点板が前記端子側と前記固定接点側とに分割され、分割された前記端子側と前記固定接点側とが細線部により接続される。
【考案の効果】
【０００９】
本考案のサーマルプロテクタと、固定接点板が端子側と固定接点側とに分割され、分割された端子側と固定接点側とが細線部により接続される。細く電気抵抗の高い細線部がヒータを構成し得るため、インターナルタイプのサーマルプロテクタで所望の温度−電流特性を得ることができる。
【図面の簡単な説明】
【００１０】
【図１】図１（Ａ）は第１実施形態に係るサーマルプロテクタの断面図であり、図１（Ｂ）は第１実施形態のサーマルプロテクタの底面図であり、図１（Ｃ）は従来技術に係るサーマルプロテクタの断面図であり、図１（Ｄ）は従来技術のサーマルプロテクタの底面図である。
【図２】図２（Ａ）は第２実施形態に係るサーマルプロテクタの断面図であり、図２（Ｂ）は第２実施形態のサーマルプロテクタの底面図であり、図２（Ｃ）、（Ｄ）、（Ｅ）は第１実施形態に係るサーマルプロテクタの固定接点板の平面図である。
【考案を実施するための形態】
【００１１】
[第１実施形態]
図１（Ａ）は第１実施形態に係るサーマルプロテクタの断面図であり、図１（Ｂ）は第１実施形態のサーマルプロテクタの底面図である。図１（Ａ）は図１（Ｂ）のＸ１−Ｘ１断面に相当する。
第１実施形態のサーマルプロテクタは、電動機の巻線に取り付けられるインターナルタイプである。サーマルプロテクタ１０は、固定接点１６の取り付けられた固定接点板２０と、固定接点板２０に設けられた端子２０Ｔと、予め反転動作温度が設定されたバイメタル１４と、バイメタルに溶接された可動接点１２と、バイメタルの取り付けられた筐体３０と、筐体側に接続された端子３０Ｔと、固定接点板２０と筐体３０とを絶縁する絶縁紙１８とを備える。電気的には端子２０Ｔから固定接点板２０、固定接点１６、可動接点１２、バイメタル１４、筐体３０を通じて端子３０Ｔへと接続されている。絶縁紙１８は、固定接点１６を露出させながら固定接点板の上面を覆い、固定接点板の下面側の側部を覆うように折り曲げられている。筐体３０の中央部３０Ｃは箱状に形成され、側部３０Ｅはフランジ状に形成されている。そして、側部３０Ｅが、固定接点板２０及び絶縁紙１８を挟むように内側に折り曲げられている。固定接点板２０及び筐体３０は導電性金属である鉄にニッケルめっきが施されてなる。固定接点板２０は鉄、ニクロム等の高抵抗な材質からなる。
【００１２】
図２（Ｃ）、（Ｄ）、（Ｅ）は第１実施形態に係るサーマルプロテクタの固定接点板の平面図である。固定接点板２０が端子２０Ｔ側の端子部２０Ｂと固定接点１６側の接点部２０Ａとに分割され、分割された端子部２０Ｂと接点部２０Ａとが細線部２２により接続される。細線部２２は抵抗が高く、通電時にヒータとして発熱することができる。細線部２２はバイメタル１４の直下で、バイメタルに対向する位置に配置される。細線部２２は固定接点板がプレス裁断される際に形成される。図２（Ｃ）、（Ｄ）、（Ｅ）は、固定接点板２０のバリエーションを示している。図２（Ｃ）及び図２（Ｅ）に示される固定接点板２０は、細線部２２が２箇所のＵ時状の屈曲部２２Ｕを備える。図２（Ｄ）に示される固定接点板２０は、細線部２２が４箇所のＵ時状の屈曲部２２Ｕを備える。屈曲部２２Ｕは偶数個設けられる。図２（Ｃ）、（Ｄ）、（Ｅ）で固定接点板２０の細線部２２の長さが異なり、長さが長い細線部２２の方が抵抗が高く、発熱性が高い。図２（Ｃ）、（Ｄ）、（Ｅ）の何れかの固定接点板２０を選ぶことで、所望の特性が得られる。更に、細線部又は固定接点板全体の材質を高抵抗な材質（例えば、ニクロム、カンタル（登録商標）、タングステン等）に換えることでもヒータとしての特性を調整することができる。
【００１３】
第１実施形態のサーマルプロテクタ１０は、固定接点板２０が端子側の端子部２０Ｂと固定接点側の接点部２０Ａとに分割され、分割された端子部２０Ｂと接点部２０Ａとが細線部２２により接続される。細く電気抵抗の高い細線部２２がヒータを構成し得るため、インターナルタイプのサーマルプロテクタで外観形状、寸法を変えず、かつ、部品点数を増やすことなく、所望の温度−電流特性を得ることができる。
【００１４】
[第２実施形態]
図２（Ａ）は第２実施形態に係るサーマルプロテクタの断面図であり、図２（Ｂ）は第２実施形態のサーマルプロテクタの底面図である。図２（Ａ）は図２（Ｂ）のＸ２−Ｘ２断面に相当する。
第２実施形態のサーマルプロテクタでは、固定接点板２０の端子部２０Ｂと接点部２０Ａは同一平面に形成されるが、細線部２２は、端子部２０Ｂと接点部２０Ａからバイメタル１４に近づくように側面視クランク状に曲げられている。第２実施形態のサーマルプロテクタでは、細線部２２の距離をバイメタルに近づけることで特性の調整が図られている。
【符号の説明】
【００１５】
１２    ：可動接点
１４    ：バイメタル
１６    ：固定接点
１８    ：絶縁紙
２０    ：固定接点板
２０Ｔ  ：端子
２２    ：細線部
３０    ：筐体
３０Ｔ  ：端子
【図１】
0003204919.tif 000003
【図２】
0003204919.tif 000004